(57)【特許請求の範囲】
【請求項１】
接続部を介して第２の電線・ケーブルと接続されている第１の電線・ケーブルを前記第２の電線・ケーブル側に引っ張って延線する際に用いられる延線用治具において、
前記第１の電線・ケーブルに取り付けられる中間引き型ケーブルグリップと、
前記中間引き型ケーブルグリップに取り付けられ、前記第２の電線・ケーブル側に延びるように配置された牽引具と、
少なくとも前記第２の電線・ケーブルの先端又は先端の近傍の部分に固定され、前記牽引具を、当該牽引具との間に隙間ができる状態で保持する保持具と、
を備えることを特徴とする延線用治具。
【請求項２】
前記牽引具は、延線用ロープであることを特徴とする請求項１に記載の延線用治具。
【請求項３】
前記保持具は、前記牽引具が挿通される筒状部材を有しており、
前記筒状部材が、少なくとも前記牽引具の１か所で前記第２の電線・ケーブルの先端又は先端の近傍の部分に固定具で固定されており、かつ、前記第２の電線・ケーブルに沿うように配設されていることを特徴とする請求項１又は請求項２に記載の延線用治具。
【請求項４】
前記固定具は、可撓性を有していることを特徴とする請求項３に記載の延線用治具。
【請求項５】
前記固定具は、先端側が半球状、半長球状又は略錐体状に閉塞されており、
前記第２の電線・ケーブルの先端が前記固定具内に収容されることを特徴とする請求項３又は請求項４に記載の延線用治具。
【請求項６】
前記固定具に、前記牽引具を前記第２の電線・ケーブルの中心に向かう方向に引き寄せる引き寄せ具が設けられていることを特徴とする請求項３から請求項５のいずれか一項に記載の延線用治具。
【請求項７】
前記固定具は、リング状に形成されていることを特徴とする請求項３に記載の延線用治具。
【請求項８】
前記筒状部材は、可撓性を有していることを特徴とする請求項３に記載の延線用治具。
【請求項９】
請求項１から請求項８のいずれか一項に記載された延線用治具が取り付けられた電線・ケーブル。
【請求項１０】
第１の電線・ケーブルと第２の電線・ケーブルとが接続部を介して接続されて形成された電線・ケーブルの延線方法において、
前記第１の電線・ケーブルに中間引き型ケーブルグリップを取り付け、
少なくとも前記第２の電線・ケーブルの先端又は先端の近傍の部分に固定された保持具で、牽引具を、当該牽引具との間に隙間ができる状態で保持し、
前記牽引具を前記中間引き型ケーブルグリップに取り付けて延線用治具を形成し、
前記牽引具を牽引して前記第１の電線・ケーブルを前記第２の電線・ケーブル側に引っ張ることで前記電線・ケーブルを延線する
ことを特徴とする電線・ケーブルの延線方法。
【発明の詳細な説明】
【技術分野】
【０００１】
本発明は、延線用治具、電線・ケーブル及び電線・ケーブルの延線方法に関する。
【背景技術】
【０００２】
電線・ケーブルを管路やラック等に延線する際には、ケーブルグリップが広く使用されている。ケーブルグリップは、細いワイヤロープを筒状に編み込んだもので、これを電線・ケーブルに被せて長手方向に引っ張ると、ケーブルグリップが電線・ケーブルを締め付けるように収縮して強力に把持する状態になる。
そのため、ケーブルグリップを電線・ケーブルに被せて長手方向に引っ張ることで電線・ケーブルを牽引して延線することができる。
【０００３】
ケーブルグリップは、例えば特許文献１〜３に記載されているように、電線・ケーブルの先端部分に取り付けるものもあるが、電線・ケーブルの先端に取り付けることができない場合や、電線・ケーブルが長い場合などには、図１５に示すような先端が開放された中間引き型ケーブルグリップが使用される場合もある。
中間引き型ケーブルグリップ２０は、ワイヤネット２１と複数の引手部２２とを備えて構成されており、引手部２２を引っ張るとワイヤネット２１が収縮して電線・ケーブル１０を締め付けるため、電線・ケーブル１０を牽引して延線することができる。
【０００４】
一方、電線・ケーブル１０は、図１６に示すように、第１の電線・ケーブル１１（例えばアルミ導体の主線ケーブル等）と第２の電線・ケーブル１２（例えば銅導体の補線ケーブル等）とが接続部１３を介して接続されて形成されている場合がある（特許文献４等参照）。
そして、例えば電線・ケーブル１０を図中左側に引っ張って延線する場合、第２の電線・ケーブル１２を図中左側に引っ張ると、接続部１３に負荷が掛かり接続部１３での接続が破壊されてしまい導通不良になる可能性がある。そのため、このような場合には、第１の電線・ケーブル１１を第２の電線・ケーブル側１２に引っ張ることで電線・ケーブル１０を延線することになっている。
【先行技術文献】
【特許文献】
【０００５】
【特許文献１】実開昭６０−１３５０１３号公報
【特許文献２】特開平１０−２８５７７６号公報
【特許文献３】特開２０１８−７４６４５号公報
【特許文献４】特開２０１６−１６７３３５号公報
【発明の概要】
【発明が解決しようとする課題】
【０００６】
しかしながら、例えば図１７に示すように、第１の電線・ケーブル１１に上記の中間引き型ケーブルグリップ２０を取り付け、中間引き型ケーブルグリップ２０に延線用ロープ３０を取り付けて引っ張って電線・ケーブル１０をラック１００上に延線する場合、第２の電線・ケーブル１２の先端Ａが自由に動くため、先端Ａがラック１００やラック１００上の他の設置物等（不図示）に引っ掛かり、スムーズに延線できないといった問題があった。
特に第２の電線・ケーブル１２に巻きぐせが残っていると、第２の電線・ケーブル１２の先端Ａが、図１８（Ａ）に示すようにラック１００等に引っ掛かったり、図１８（Ｂ）に示すようにラック１００の裏面側に潜り込んだりするため、延線をスムーズに行えなくなる。
【０００７】
また、図示を省略するが、例えば図１７に示した状態から電線・ケーブル１０全体を下に引き出す場合、延線方向が図中左向きから下向きに変わるが、そのような場合には、ラック１００から引き出す箇所にケーブルローラーを取り付けてそれに延線用ロープ３０を掛けて下方に引っ張って延線する。ラック１００が曲がっていて、それに沿って延線する場合も同様である。
しかし、こうした場合、第２の電線・ケーブル１２の先端Ａはそのまま図中左向きに進んでしまうため、電線・ケーブル１０全体をラック１００に沿って引っ張ることができない。
【０００８】
そして、これを避けるために、例えば、第２の電線・ケーブル１２に延線用ロープ３０を巻き付けて下方に引っ張ると、第２の電線・ケーブル１２の先端Ａは延線用ロープ３０の動きに追従してラック１００に沿って移動するようになる。
しかし、第２の電線・ケーブル１２に張力が加わり、接続部１３に負荷が掛かってしまうことになる。
【０００９】
本発明は、上記の問題点を鑑みてなされたものであり、接続部を有する電線・ケーブルを延線する際に、接続部に負荷を掛けることなく、スムーズに延線することが可能な延線用治具、電線・ケーブル及び電線・ケーブルの延線方法を提供することを目的とする。
【課題を解決するための手段】
【００１０】
前記の問題を解決するために、請求項１に記載の発明は、
接続部を介して第２の電線・ケーブルと接続されている第１の電線・ケーブルを前記第２の電線・ケーブル側に引っ張って延線する際に用いられる延線用治具において、
前記第１の電線・ケーブルに取り付けられる中間引き型ケーブルグリップと、
前記中間引き型ケーブルグリップに取り付けられ、前記第２の電線・ケーブル側に延びるように配置された牽引具と、
少なくとも前記第２の電線・ケーブルの先端又は先端の近傍の部分に固定され、前記牽引具を、当該牽引具との間に隙間ができる状態で保持する保持具と、
を備えることを特徴とする。
【００１１】
請求項２に記載の発明は、請求項１に記載の延線用治具において、前記牽引具は、延線用ロープであることを特徴とする。
【００１２】
請求項３に記載の発明は、請求項１又は請求項２に記載の延線用治具において、
前記保持具は、前記牽引具が挿通される筒状部材を有しており、
前記筒状部材が、少なくとも前記牽引具の１か所で前記第２の電線・ケーブルの先端又は先端の近傍の部分に固定具で固定されており、かつ、前記第２の電線・ケーブルに沿うように配設されていることを特徴とする。
【００１３】
請求項４に記載の発明は、請求項３に記載の延線用治具において、前記固定具は、可撓性を有していることを特徴とする。
【００１４】
請求項５に記載の発明は、請求項３又は請求項４に記載の延線用治具において、
前記固定具は、先端側が半球状、半長球状又は略錐体状に閉塞されており、
前記第２の電線・ケーブルの先端が前記固定具内に収容されることを特徴とする。
【００１５】
請求項６の記載の発明は、請求項３から請求項５のいずれか一項に記載の延線用治具において、前記固定具に、前記牽引具を前記第２の電線・ケーブルの中心に向かう方向に引き寄せる引き寄せ具が設けられていることを特徴とする。
【００１６】
請求項７に記載の発明は、請求項３に記載の延線用治具において、前記固定具は、リング状に形成されていることを特徴とする。
【００１７】
請求項８に記載の発明は、請求項３に記載の延線用治具において、前記筒状部材は、可撓性を有していることを特徴とする。
【００１８】
請求項９に記載の発明は、電線・ケーブルにおいて、請求項１から請求項８のいずれか一項に記載された延線用治具が取り付けられていることを特徴とする。
【００１９】
請求項１０に記載の発明は、
第１の電線・ケーブルと第２の電線・ケーブルとが接続部を介して接続されて形成された電線・ケーブルの延線方法において、
前記第１の電線・ケーブルに中間引き型ケーブルグリップを取り付け、
少なくとも前記第２の電線・ケーブルの先端又は先端の近傍の部分に固定された保持具で、牽引具を、当該牽引具との間に隙間ができる状態で保持し、
前記牽引具を前記中間引き型ケーブルグリップに取り付けて延線用治具を形成し、
前記牽引具を牽引して前記第１の電線・ケーブルを前記第２の電線・ケーブル側に引っ張ることで前記電線・ケーブルを延線する
ことを特徴とする。
【発明の効果】
【００２０】
本発明によれば、接続部を有する電線・ケーブルを延線する際に、接続部に負荷を掛けることなく、スムーズに延線することが可能となる。
【図面の簡単な説明】
【００２１】
【図１】本実施形態に係る延線用治具の構成例１を表す斜視図である。
【図２】構成例１の延線用治具が取り付けられた電線・ケーブルを表す斜視図である。
【図３】筒状部材と第２の電線・ケーブルに固定具を巻き付けて筒状部材を第２の電線・ケーブルに固定した状態を表す図である。
【図４】（Ａ）、（Ｂ）筒状部材と第２の電線・ケーブルに固定具を巻き付けたり貼り付けて筒状部材を第２の電線・ケーブルに固定する形態の一例を表す図である。
【図５】（Ａ）、（Ｂ）固定具で筒状部材を第２の電線・ケーブルに固定する別の形態の一例を表す図である。
【図６】構成例２の延線用治具が取り付けられた電線・ケーブルを表す斜視図である。
【図７】固定具の長手方向の（Ａ）前端部や（Ｂ）後端部にテープを巻き付けて固定具を第２の電線・ケーブルに固定した状態を表す図である。
【図８】構成例３の延線用治具を表す斜視図である。
【図９】（Ａ）、（Ｂ）構成例３の延線用治具が取り付けられた電線・ケーブルのうち第２の電線・ケーブルの先端部分を表す斜視図である。
【図１０】（Ａ）、（Ｂ）構成例３の延線用治具における保持具の例を表す斜視図である。
【図１１】構成例３において延線用ロープの筒状部材に隣接する位置に止め具を取り付けた構成を表す斜視図である。
【図１２】構成例４の延線用治具が取り付けられた電線・ケーブルのうち第２の電線・ケーブルの先端部分を表す斜視図である。
【図１３】構成例５の延線用治具が取り付けられた電線・ケーブルを表す斜視図である。
【図１４】電線・ケーブルが３本の電線・ケーブルを撚り合わせたものである場合の、本実施形態に係る延線用治具の保持具の部分での断面図である。
【図１５】中間引き型ケーブルグリップの構成を表す斜視図である。
【図１６】第１の電線・ケーブルと第２の電線・ケーブルとが接続部を介して接続されて形成された電線・ケーブルの構成を表す図である。
【図１７】第１の電線・ケーブルに中間引き型ケーブルグリップを取り付け、中間引き型ケーブルグリップに延線用ロープを取り付けた状態を表す斜視図である。
【図１８】第２の電線・ケーブルの先端が（Ａ）ラック等に引っ掛かった状態、（Ｂ）ラックの裏面側に潜り込んだ状態を表す斜視図である。
【発明を実施するための形態】
【００２２】
以下、図面を参照して、本発明に係る延線用治具、電線・ケーブル及び電線・ケーブルの延線方法について実施の形態を例示して説明する。ただし、以下に述べる実施形態には、本発明を実施するために技術的に好ましい種々の限定が付されているが、本発明の範囲を以下の実施形態や図示例に限定するものではない。
また、以下の各図では、電線・ケーブル１０が１本の電線・ケーブルで構成されている場合を示すが、電線・ケーブル１０は、例えば３本の電線・ケーブルを撚り合わせるなどして束ねたものであってもよい。
【００２３】
本実施形態に係る延線用治具１は、接続部１３を介して第２の電線・ケーブル１２と接続されている第１の電線・ケーブル１１を第２の電線・ケーブル１２側に引っ張って延線する際に用いられる延線用治具であり、中間引き型ケーブルグリップ２と、牽引具３と、保持具４とを備えて構成されている。
本実施形態では、牽引具３は、延線用ロープで構成されており、以下、延線用ロープ３として説明するが、他の形態であってもよい。
以下、構成例をいくつか示して具体的に説明する。
【００２４】
［構成例１］
図１は、本実施形態に係る延線用治具の構成例１を表す斜視図であり、図２は、構成例１の延線用治具が取り付けられた電線・ケーブルを表す斜視図である。図２では、構成例１の延線用治具が取り付けられた電線・ケーブル１０がラック１００上に配置された状態が示されている。
【００２５】
延線用治具１の中間引き型ケーブルグリップ２は、図１５に示した中間引き型ケーブルグリップ２０と同様に構成されており、電線・ケーブル１０の第１の電線・ケーブル１１に取り付けられる。
そして、中間引き型ケーブルグリップ２の引手部には、アイ金具５を介して延線用ロープ３（牽引具３）が取り付けられており、延線用ロープ３は、第２の電線・ケーブル１２側に延びるように配置されている。
また、延線用ロープ３には、少なくとも第２の電線・ケーブル１２の先端Ａ又は先端Ａの近傍の部分に固定され、延線用ロープ３を、当該延線用ロープ３との間に隙間ができる状態で保持する保持具４が挿通されている。
【００２６】
構成例１では、保持具４は、延線用ロープ３が挿通される筒状部材４１を有している。
筒状部材４１は、延線用ロープ３の１か所で固定具４２により第２の電線・ケーブル１２の先端Ａやその近傍の部分に固定されており、かつ、第２の電線・ケーブル１２に沿うように（すなわち筒状部材４１の軸方向が第２の電線・ケーブル１２の長手方向に略平行になるように）配設されている。
【００２７】
保持具４の筒状部材４１は、例えば円筒状に形成されており、その内径は、延線用ロープ３の外径よりやや大きい径とされている。そのため、筒状部材４１に延線用ロープ３を挿通させると、筒状部材４１と延線用ロープ３との間に隙間ができるようになっている。
保持具４は、筒状部材４１に挿通された延線用ロープ３をこのような状態で保持するようになっている。
なお、第２の電線・ケーブル１２の先端Ａには、先端Ａを保護するためのキャップ１４が取り付けられている。
【００２８】
保持具４の筒状部材４１は、プラスチックや金属等で形成することが可能であり、特に材質に制限はない。また、保持具４の固定具４２は、筒状部材４１を第２の電線・ケーブル１２に固定できるものであればよく、形態に制限はない。すなわち、専用の固定具を設けてもよく、また、図３や図４（Ａ）、（Ｂ）に示すように筒状部材４１と第２の電線・ケーブル１２にテープや紐、ベルト、結束バンド、面ファスナ等の固定具４２を巻き付けたり貼り付けたりして筒状部材４１を第２の電線・ケーブル１２に固定するようにしてもよい。
【００２９】
また、例えば、図５（Ａ）に示すように、円筒状の固定具４２を断面半円状の２つの部分４２ａに分割して、これらの部分４２ａをバネ付き蝶番４２ｂで開閉可能に接続するとともに、各部分４２ａを閉じる方向に付勢するように構成することが可能である。
このように構成すれば、図５（Ａ）に示すように固定具４２の各部分４２ａを開いて固定具４２内に第２の電線・ケーブル１２を入れると、図５（Ｂ）に示すように各部分４２ａがバネ付き蝶番４２ｂにより閉じる方向に付勢されて第２の電線・ケーブル１２を把持する状態になる。そのため、固定具４２が第２の電線・ケーブル１２に固定され、固定具４２を介して筒状部材４１を第２の電線・ケーブル１２に固定することができる。
【００３０】
以上のように構成すると、作業者が延線用ロープ３を引っ張って第２の電線・ケーブル１２側に電線・ケーブル１０を延線する際、作業者が延線用ロープ３を引っ張る力が第２の電線・ケーブル１２には加わらず、第１の電線・ケーブル１１のみに加わる。
そのため、この構成例１によれば、第２の電線・ケーブル１２を引っ張らないため接続部１３に負荷を掛けることなく、電線・ケーブル１０を延線することが可能となる。
【００３１】
また、第２の電線・ケーブル１２に固定された保持具４により延線用ロープ３が保持されているため、第２の電線・ケーブル１２の先端Ａが延線用ロープ３の動きに追従して移動する状態になる。
さらに、第２の電線・ケーブル１２に巻きぐせが残っていても、第２の電線・ケーブル１２の先端Ａが保持具４に保持されているため、第２の電線・ケーブル１２の先端Ａを強制的に延線用ロープ３の動きに追従して移動させることができる。
【００３２】
その際、上記のように保持具４の筒状部材４１と延線用ロープ３との間に隙間があるため、このように保持具４により第２の電線・ケーブル１２の先端Ａを延線用ロープ３の動きに追従して移動させる状態になっても、第２の電線・ケーブル１２には少なくともその長手方向には力が加わらない。そのため、接続部１３には負荷が掛らない。
そのため、この構成例１によれば、例えば電線・ケーブル１０をラック１００上で延線する際、延線用ロープ３をラック１００から多少離れた状態で牽引することで、延線用ロープ３に追従して移動する第２の電線・ケーブル１２の先端Ａがラック１００やラック１００上の他の設置物等に引っ掛かったりラック１００の裏面側に潜り込んだりすることなく、電線・ケーブル１０をスムーズに、かつ、接続部１３に負荷を掛けることなく延線することが可能となる。
【００３３】
また、前述したように例えば略水平方向に延在するラック１００から電線・ケーブル１０全体を下方に引き出す場合でも、延線用ロープ３の移動方向がコーナーローラにより下向きに変わる位置で、第２の電線・ケーブル１２の先端Ａも延線用ロープ３の動きに追従して移動方向を下向きに変える。ラック１００が上下や左右に曲がっている場合も同様である。
その際、上記と同様に、第２の電線・ケーブル１２には少なくともその長手方向には力が加わらないため、接続部１３には負荷が掛らない。
そのため、この構成例１によれば、このように電線・ケーブル１０全体をラック１００から引き出したりラック１００が湾曲しているような場合でも、電線・ケーブル１０をスムーズに、かつ、接続部１３に負荷を掛けることなく延線することが可能となる。
【００３４】
［構成例２］
また、上記の延線用治具１において、例えば図６に示すように、保持具４の固定具４２を長手方向に長く延びるように形成することも可能である。なお、図６では、延線用治具１が取り付けられた電線・ケーブル１０がラック１００上に配置された状態が示されている。
保持具４の固定具４２を長手方向に長く延びるように形成する場合、図６に示すように、保持具４の固定具４２を第２の電線・ケーブル１２に固定し、長手方向に長く延びるように形成された固定具４２の複数か所に、筒状部材４１が取り付けられた複数のリング状の固定具４２Ａを固定するように構成する。
【００３５】
この場合、図７（Ａ）に示すように、固定具４２の長手方向の前端部（第２の電線・ケーブル１２の先端Ａの側の端部）や、図７（Ｂ）に示すように、固定具４２の長手方向の後端部（接続部１３に近い側の端部）にテープ４３を巻き付けるなどして固定具４２を第２の電線・ケーブル１２に固定してもよい。
その際、図７（Ｂ）に示した固定具４２の長手方向の後端部に巻き付けられたテープ４３等が接続部１３に掛かってもよい。
【００３６】
そして、長手方向に長く延びるように形成された固定具４２の複数か所に固定された固定具４２Ａに取り付けられた筒状部材４１に延線用ロープ３を挿通することで、筒状部材４１で延線用ロープ３を保持する状態になる。
以上のように構成すれば、筒状部材４１が第２の電線・ケーブル１２に沿うように配設されるようになり、第２の電線・ケーブル１２の先端Ａがより確実に延線用ロープ３の動きに追従して移動する状態になる。そのため、接続部１３を有する電線・ケーブル１０を延線する際に、接続部１３に負荷を掛けることなく、スムーズに延線することが可能となる。
【００３７】
また、この場合、図６や図７（Ａ）、（Ｂ）に示すように、長手方向に長く延びるように形成された固定具４２に蛇腹を設けるなどして、固定具４２が可撓性を有するように構成することが望ましい。
保持具４の固定具４２が可撓性を有していないと、例えば上記のようにラック１００が湾曲しており、延線用ロープ３も曲がっている所で、保持具４の固定具４２が延線用ロープ３に追従して曲がることができなくなるなど、電線・ケーブル１０の延線作業に支障が生じ得るが、保持具４の固定具４２が可撓性を有していれば、このような問題を生じることなく、電線・ケーブル１０をスムーズに延線することが可能となる。
【００３８】
［構成例３］
また、上記のように長手方向に長く延びるように形成された固定具４２を用いる代わりに、例えば図８に示すように、長手方向に長く延びるように形成された筒状部材４１の所定の箇所を固定具４２で固定し、筒状部材４１に延線用ロープ３を挿通して構成することも可能である。
そして、この場合も、筒状部材４１に蛇腹を設けるように構成すれば、筒状部材４１が可撓性を有するようになり、長手方向に長く延びるように形成された筒状部材４１が延線用ロープ３に追従して曲がることが可能となり、電線・ケーブル１０をスムーズに延線することが可能となる。
【００３９】
［構成例４］
なお、上記の構成例１〜３では、第２の電線・ケーブル１２の先端Ａは、保持具４の固定具４２より先で外部に露出されており、先端Ａにキャップ１４が取り付けられている場合について説明した。
しかし、このように構成する代わりに、例えば図９（Ａ）に示すように、固定具４２の先端側を半球状に閉塞するように構成して、第２の電線・ケーブル１２の先端Ａを固定具４２内に収容するように構成することも可能である。
【００４０】
また、図示を省略するが、例えば固定具４２の先端側を半長球状に閉塞するように構成したり、例えば図９（Ｂ）に示すように、保持具４の固定具４２の先端側を略錐体状等に閉塞するように構成することも可能である。
なお、半長球状とは、長球体（楕円体）をその長軸方向に２等分した場合の片方の形状をいう。
【００４１】
このように構成すれば、第２の電線・ケーブル１２の先端Ａが固定具４２内に収容されて保護されるため、先端Ａにキャップ１４等を取り付けなくてもよくなる。
また、保持具４の固定具４２の先端が半球状等に形成されているため、例えば電線・ケーブル１０をラック１００上で延線する際に、第２の電線・ケーブル１２の先端Ａやそれを収容する保持具４の固定具４２の先端がラック１００やラック１００上の他の設置物等に引っ掛かることなく、電線・ケーブル１０をスムーズに、かつ、接続部１３に負荷を掛けることなく延線することが可能となる。
【００４２】
なお、この場合、例えば、固定具４２を樹脂製とし、固定具４２の内径を第２の電線・ケーブル１２の外径よりも僅かに小さく形成するように構成すれば、第２の電線・ケーブル１２の先端を固定具４２内に収容する際に、固定具４２を第２の電線・ケーブル１２の先端Ａに嵌め込む状態になる。
そのため、固定具４２が第２の電線・ケーブル１２から抜けにくくなる。
【００４３】
また、図１０（Ａ）、（Ｂ）に示すように、固定具４２の端部にテープ４３を巻き付けるなどして固定具４２を第２の電線・ケーブル１２の先端に固定することも可能である。
その際、固定具４２に、筒状部材４１が取り付けられたリング状の固定具４２Ａを固定したり（図１０（Ａ）参照）、筒状部材４１を固定具４２にテープ巻きする（図１０（Ｂ）参照）などして、筒状部材４１を固定具４２に取り付けるように構成することが可能である。
【００４４】
また、上記のように構成しても固定具４２が第２の電線・ケーブル１２から抜けるおそれがある場合には、例えば図１１に示すように、延線用ロープ３の筒状部材４１に隣接する位置（筒状部材４１の手前側）に、筒状部材４１の内径より大きな止め具５０を取り付けることが可能である。
このように止め具５０を取り付ければ、止め具５０に阻まれて筒状部材４１が移動できなくなるため、固定具４２が第２の電線・ケーブル１２から抜けることを防止することができる。なお、止め具５０は専用の器具である必要はなく、例えば作業現場にある把手等を用いることができる。また、延線用ロープ３に止め具５０を取り付ける場合は、図１１に示したテープ４３等の巻き付けは必ずしも行わなくてもよい。
【００４５】
なお、図１０（Ａ）、（Ｂ）や図１１では、先端側を半球状に閉塞した固定具４２の場合を示したが、先端側を略錐体状や半長球状等に閉塞した固定具４２でも同様であることは言うまでもない。
【００４６】
［構成例５］
また、図１２に示すように、例えば保持具４の固定具４２の先端等に引き寄せ具４４を取り付ける等して設け、引き寄せ具４４で、延線用ロープ３を第２の電線・ケーブル１２の中心に向かう方向に引き寄せて固定するように構成することも可能である。
このように構成すれば、引き寄せ具４４で延線用ロープ３を第２の電線・ケーブル１２の中心に向かう方向に引き寄せて、延線用ロープ３を、第２の電線・ケーブル１２を収容する保持具４の固定具４２の先端に近づけることができる。
【００４７】
そのため、保持具４の固定具４２の先端が延線用ロープ３と一体的に移動するようになるため、例えば電線・ケーブル１０をラック１００上で延線する際、第２の電線・ケーブル１２の先端Ａやそれを収容する保持具４の固定具４２の先端がラック１００やラック１００上の他の設置物等に引っ掛からずに電線・ケーブル１０をスムーズに延線することが可能となる。
なお、この場合、「第２の電線・ケーブル１２の中心」とは、第２の電線・ケーブル１２が１本の電線・ケーブルである場合には、その円形断面の中心をいう。また、複数本の電線・ケーブルを撚り合わせたものである場合にはそれらの外接円の中心をいう。
【００４８】
［構成例６］
一方、図６や図７（Ａ）、（Ｂ）では、長手方向に長く延びるように形成された固定具４２の複数か所に筒状部材４１が取り付けられた複数のリング状の固定具４２Ａを固定するように構成した場合について説明したが、例えば、図１３（Ａ）に示すように、リング状に形成した固定具４２Ａを、第２の電線・ケーブル１２に直接固定するように構成することも可能である。
【００４９】
このように、固定具４２をリング状に形成すれば（リング状の固定具４２Ａ）、各リング状の固定具４２Ａにより第２の電線・ケーブル１２と延線用ロープ３とが互いに沿う状態になり、第２の電線・ケーブル１２の先端Ａが確実に延線用ロープ３の動きに追従して移動する状態になる。
また、例えば上記のようにラック１００が湾曲していても、延線用ロープ３が曲がる所で第２の電線・ケーブル１２が延線用ロープ３に追従して確実に曲がる。そのため、電線・ケーブル１０を引っ張ってスムーズに延線することが可能となる。また、長手方向に長く延びるように形成された固定具４２が不要になるため、延線用治具１の保持具４の構成が非常に単純になる。
【００５０】
［電線・ケーブルの延線方法］
次に、本実施形態に係る電線・ケーブル１０の延線方法について説明する。
なお、以下では、上記の構成例１（図２等参照）の場合を例示して本実施形態に係る電線・ケーブル１０の延線方法について説明するが、上記の構成例２〜６等の場合でも同様に説明される。
本実施形態に係る電線・ケーブル１０の延線方法は、上記のように、第１の電線・ケーブル１１と第２の電線・ケーブル１２とが接続部１３を介して接続されて形成された電線・ケーブル１０の延線方法である。
【００５１】
そして、図２に示したように、（Ａ）第１の電線・ケーブル１１に中間引き型ケーブルグリップ２を取り付け、（Ｂ）少なくとも第２の電線・ケーブル１２の先端Ａやその近傍の部分に固定された保持具４で延線用ロープ３（牽引具）を保持する。すなわち、保持具４の筒状部材４１に延線用ロープ３（牽引具）を挿通する。
そして、（Ｃ）延線用ロープ３（牽引具）を、第１の電線・ケーブル１１に取り付けた中間引き型ケーブルグリップにアイ金具５を介して取り付ける。このようにして本実施形態に係る延線用治具１を形成する。
なお、上記の（Ａ）〜（Ｃ）の順番は適宜変更可能である。
【００５２】
そして、延線用ロープ３（牽引具）を牽引して第１の電線・ケーブル１１を手前の第２の電線・ケーブル１２側に引っ張るようにして電線・ケーブル１０を延線する。
このようにして電線・ケーブル１０を延線すれば、上記の本実施形態に係る延線用治具１の効果が効果的に発揮され、接続部１３を有する電線・ケーブル１０を延線する際に、接続部１３に負荷を掛けることなく、スムーズに延線することが可能となる。
【００５３】
［効果］
以上のように、本実施形態に係る延線用治具、電線・ケーブル及び電線・ケーブルの延線方法によれば、第１の電線・ケーブル１１と第２の電線・ケーブル１２とが接続部１３を介して接続されて形成された電線・ケーブル１０を、第１の電線・ケーブル１１を第２の電線・ケーブル１２側に引っ張って延線する際に、第２の電線・ケーブル１２を引っ張ることがないため、接続部１３に負荷を掛けることがない。
また、第２の電線・ケーブル１２やその先端Ａが牽引具（延線用ロープ３）に追従して移動するようになるため、例えば電線・ケーブル１０をラック１００上で延線する際に、第２の電線・ケーブル１２の先端Ａがラック１００やラック１００上の他の設置物等に引っ掛かったりラック１００の裏面側に潜り込んだりすることがなく、電線・ケーブル１０をスムーズに延線することが可能となる。
【００５４】
このように、本実施形態に係る延線用治具、電線・ケーブル及び電線・ケーブルの延線方法によれば、接続部１３を有する電線・ケーブル１０を延線する際に、接続部１３に負荷を掛けることなく、スムーズに延線することが可能となる。
そのため、例えば電線・ケーブル１０全体をラック１００から引き出す場合でも、牽引具（延線用ロープ３）がラック１００の湾曲部分に取り付けられたケーブルローラーに従って向きを変える際に第２の電線・ケーブル１２やその先端Ａがそれに追従してスムーズに向きを変える。また、ラック１００が曲がっていて、それに沿って延線する場合も、牽引具（延線用ロープ３）に追従して第２の電線・ケーブル１２やその先端Ａがスムーズに向きを変える。そのため、そのような場合でも、接続部１３に負荷を掛けることなく、電線・ケーブル１０をスムーズに延線することが可能となる。
【００５５】
なお、本発明が上記の実施形態等に限定されず、本発明の趣旨を逸脱しない限り、適宜変更可能であることは言うまでもない。
例えば、上記の実施形態では、電線・ケーブル１０の接続部１３で分岐がない場合について説明したが、電線・ケーブル１０の接続部１３で分岐がある場合（すなわち接続部１３から分岐線が出ている場合）についても本発明を適用することができる。
【００５６】
すなわち、図示を省略するが、このような場合、分岐線を第２の電線・ケーブル１２に巻き付けておき、それらと筒状部材４１に、例えば図３等に示したようにテープ等の固定具４２を巻き付けたり貼り付けたりして筒状部材４１を第２の電線・ケーブル１２に固定して、牽引具（延線用ロープ３）を筒状部材４１に挿通するように構成することが可能である。また、第２の電線・ケーブル１２に固定した保持具４で牽引具（延線用ロープ３）を保持した状態で、それらの外側に分岐線を巻き付けるように構成することも可能である。
このように構成すれば、電線・ケーブル１０を延線する際に分岐線が第２の電線・ケーブル１２とともに移動するようになるため、例えば電線・ケーブル１０をラック１００上で延線する際に、分岐線がラック１００やラック１００上の他の設置物等に引っ掛かったりラック１００の裏面側に潜り込んだりすることがなく、電線・ケーブル１０をスムーズに延線することが可能となる。
【００５７】
また、前述したように、電線・ケーブル１０は、複数の電線・ケーブルを撚り合わせるなどして束ねたものであってもよい。例えば、電線・ケーブル１０としてトリプレックスと呼ばれる３本の電線・ケーブルを束ねたものに対して本実施形態に係る延線用治具１を適用する場合、図１４に示すように、固定具４２は、３本の電線・ケーブルを束ねた第２の電線・ケーブル１２に対して、その外側から包囲するように固定される。ここで、例えば、３本の電線・ケーブルを束ねた第２の電線・ケーブル１２は、その外接円の径を固定具４２の内径と同じかわずかに大きくなるようにすることで、固定具４２によって外側から包囲するように固定される。このようにすることで、３本の電線・ケーブルを束ねた第２の電線・ケーブル１２は、固定具４２から抜き去り可能な状態で固定することができる。
このように構成することで、電線・ケーブル１０が１本の電線・ケーブルで構成されている場合について説明した上記の実施形態における有益な作用効果を、電線・ケーブル１０が複数の電線・ケーブルを束ねて構成されている場合においても全く同様に発揮させることが可能となる。
【符号の説明】
【００５８】
１  延線用治具
２  中間引き型ケーブルグリップ
３  延線用ロープ（牽引具）
４  保持具
１０  電線・ケーブル
１１  第１の電線・ケーブル
１２  第２の電線・ケーブル
１３  接続部
４１  筒状部材
４２  固定具
４２Ａ  リング状の固定具（固定具）
４４  引き寄せ具
Ａ  第２の電線・ケーブルの先端
【要約】
【課題】接続部を有する電線・ケーブルを延線する際に、接続部に負荷を掛けることなく、スムーズに延線することが可能な延線用治具、電線・ケーブル及び電線・ケーブルの延線方法を提供する。
【解決手段】接続部１３を介して第２の電線・ケーブル１２と接続されている第１の電線・ケーブル１１を第２の電線・ケーブル１２側に引っ張って延線する際に用いられる延線用治具１は、第１の電線・ケーブル１１に取り付けられる中間引き型ケーブルグリップ２と、中間引き型ケーブルグリップ２に取り付けられ、第２の電線・ケーブル１２側に延びるように配置された牽引具３と、少なくとも第２の電線・ケーブル１２の先端Ａ又は先端Ａの近傍の部分に固定され、牽引具３を、当該牽引具３との間に隙間ができる状態で保持する保持具４と、を備える。
【選択図】図２【図１】
0006961753.tif 000002
【図２】
0006961753.tif 000003
【図３】
0006961753.tif 000004
【図４】
0006961753.tif 000005
【図５】
0006961753.tif 000006
【図６】
0006961753.tif 000007
【図７】
0006961753.tif 000008
【図８】
0006961753.tif 000009
【図９】
0006961753.tif 000010
【図１０】
0006961753.tif 000011
【図１１】
0006961753.tif 000012
【図１２】
0006961753.tif 000013
【図１３】
0006961753.tif 000014
【図１４】
0006961753.tif 000015
【図１５】
0006961753.tif 000016
【図１６】
0006961753.tif 000017
【図１７】
0006961753.tif 000018
【図１８】
0006961753.tif 000019